【事件の表示】
　　特許第２７７４２７２号「給紙装置」の特許に対する特許異議の申立てについて、次のとおり決定する。
【結　論】
　訂正を認める。
　特許第２７７４２７２号の請求項１乃至３に係る特許を維持する。
【理　由】
１．手続きの経緯
　本件特許２７７４２７２号に係る発明は、昭和６３年１０月２２日に出願した特願昭６３−２６５２５５号の一部を平成９年４月２３日に新たな特許出願としたものであって、平成１０年４月２４日にその特許の設定登録がなされ、その後、山口十四治より特許異議の申立がなされ、平成１１年５月１４日付け及び平成１２年２月２２日付けで取消理由通知がなされ、その指定期間内である平成１２年３月６日に訂正請求がなされたものである。
２．訂正の適否についての判断
（ｉ）訂正の内容
（１）発明の訂正
　本件特許に係る発明につき、「【請求項１】給紙台上に積載された複数枚の回転駆動される給紙ローラにより一枚ずつ取出してレジストローラへ搬送し、該用紙を前記レジストローラにより所定の時期に画像形成処理部へ搬送する給紙装置において、
　前記給紙台より前記レジストローラに向けて搬送されてきた前記用紙の通過を検出する用紙検出手段と、
　前記画像形成処理部での画像形成スピードに関するデータを入力する入力手段と、
　前記用紙検出手段での前記用紙検出後の前記給紙ローラの駆動量を前記入力手段により入力された前記データに基づいて制御する制御手段とを設けたことを特徴とする給紙装置。
【請求項２】給紙台上に積載された複数枚の回転駆動される給紙ローラにより一枚ずつ取出してレジストローラへ搬送し、該用紙を前記レジストローラにより所定の時期に画像形成処理部へ搬送する給紙装置において、
　前記給紙台より前記レジストローラに向けて搬送されてきた前記用紙の通過を検出する用紙検出手段と、
　前記画像形成処理部での画像形成スピードに関するデータ及び積載された前記用紙の種類に関するデータを夫々入力する入力手段と、
　前記用紙検出手段での前記用紙検出後の前記給紙ローラの駆動量を前記入力手段により入力された前記データに基づいて制御する制御手段とを設けたことを特徴とする給紙装置
【請求項３】前記入力手段により入力された前記データに基づいて前記用紙検出手段での前記用紙検出後の前記給紙ローラの駆動量データをセットする設定手段を設け、前記用紙検出手段による前記用紙の検出後に前記設定手段により設定された前記給紙ローラの前記駆動量データに基づいて前記給紙ローラの駆動量を制御することを特徴とする請求項１又は２に記載の給紙装置。」を、特許請求の範囲の減縮を目的として、「【請求項１】給紙台上に積載された複数枚の回転駆動される給紙ローラにより一枚ずつ取出してレジストローラへ搬送し、該用紙を前記レジストローラにより所定の時期に画像形成処理部へ搬送する給紙装置において、
　前記給紙台より前記レジストローラに向けて搬送されてきた前記用紙の通過を検出する用紙検出手段と、
　前記画像形成処理部での画像形成スピードに関するデータを入力する入力手段と、
　前記用紙検出手段での前記用紙検出後の前記給紙ローラの駆動量を前記入力手段により入力された前記データに基づいて制御する制御手段とを設け、前記給紙ローラの駆動量は、前記画像形成処理部での画像形成スピードに対応して前記給紙ローラの停止時に発生する慣性力にもとづいて設定されたデータにもとづいて制御するようにしたことを特徴とする給紙装置。
【請求項２】給紙台上に積載された複数枚の回転駆動される給紙ローラにより一枚ずつ取出してレジストローラへ搬送し、該用紙を前記レジストローラにより所定の時期に画像形成処理部へ搬送する給紙装置において、
　前記給紙台より前記レジストローラに向けて搬送されてきた前記用紙の通過を検出する用紙検出手段と、
　前記画像形成処理部での画像形成スピードに関するデータ及び積載された前記用紙の種類に関するデータを夫々入力する入力手段と、
　前記用紙検出手段での前記用紙検出後の前記給紙ローラの駆動量を前記入力手段により入力された前記データに基づいて制御する制御手段とを設け、前記給紙ローラの駆動量は、前記画像形成処理部での画像形成スピードに対応して前記給紙ローラの停止時に発生する慣性力にもとづいて設定されたデータにもとづいて制御するようにしたことを特徴とする給紙装置
【請求項３】前記入力手段により入力された前記データに基づいて前記用紙検出手段での前記用紙検出後の前記給紙ローラの駆動量データをセットする設定手段を設け、前記用紙検出手段による前記用紙の検出後に前記設定手段により設定された前記給紙ローラの前記駆動量データに基づいて前記給紙ローラの駆動量を制御することを特徴とする請求項１又は２に記載の給紙装置。」
（２）願書に添付された明細書（以下単に「特許明細書」という。）の第３頁第２８行〜第４頁第８行（特許公報（以下単に「公報」という。）第２頁第４欄第２６行〜第３９行）の訂正
　特許明細書の第３頁第２８行〜第４頁第８行に記載される「【課題を解決するための手段】本発明の給紙装置は、図の実施の形態にも示すように、給紙台１上に積載された複数枚の用紙Ｐを回転駆動される給紙ローラ３により一枚ずつ取出してレジストローラ１６により所定の時期に画像形成処理部へ搬送する給紙装置において、前記給紙台１より前記レジストローラ１６に向けて搬送されてきた前記用紙の通過を検出する用紙検出手段（ペーパーセンサ１７）と、前記画像形成処理部での前記用紙検出後の前記給紙ローラ３の駆動量を前記入力手段１８により入力された前記データに基づいて制御する制御手段３１とを設けたことを特徴としている。」を、明りょうでない記載の釈明を目的として、「【課題を解決するための手段】本発明の給紙装置は、図の実施の形態にも示すように、給紙台１上に積載された複数枚の用紙Ｐを回転駆動される給紙ローラ３により一枚ずつ取出してレジストローラ１６により所定の時期に画像形成処理部へ搬送する給紙装置において、前記給紙台１より前記レジストローラ１６に向けて搬送されてきた前記用紙の通過を検出する用紙検出手段（ペーパーセンサ１７）と、前記画像形成処理部での前記用紙検出後の前記給紙ローラ３の駆動量を前記入力手段１８により入力された前記データに基づいて制御する制御手段３１とを設け、前記給紙ローラの駆動量は、前記画像形成処理部での画像形成スピードに対応して前記給紙ローラの停止時に発生する慣性力にもとづいて設定されたデータにもとづいて制御するようにしたことを特徴としている。」と訂正する。
（ii）訂正の目的の適否及び拡張・変更の存否
（ア）訂正事項（１）について；
　請求項１、２に係る発明の訂正において、「前記給紙ローラの駆動量は、前記画像形成処理部での画像形成スピードに対応して前記給紙ローラの停止時に発生する慣性力にもとづいて設定されたデータにもとづいて制御するようにしたこと」を付加した点は、入力手段により入力されたデータにもとづいて制御する制御手段の制御内容を具体的に限定したものであり、この構成は、特許明細書に記載されており、したがって、当該訂正は、特許請求の範囲の減縮に当たり、特許明細書に記載された事項の範囲内においてした訂正であると認められる。
（イ）訂正事項（２）について；
　当該訂正事項（２）は、上記訂正事項（１）の特許請求の範囲の訂正に伴う明りょうでない記載の釈明に該当するものである。
　また、上記訂正事項（１）、（２）により実質的に特許請求の範囲を拡張または変更するものでもない。
（iii） 独立特許要件の判断
（ア）本件特許の特許請求の範囲に記載される発明
　本件特許に係る特許請求の範囲に記載される発明は、訂正された特許請求の範囲に記載される上記２．（ｉ）（１）に示すとおりのものである。
（イ）引用例
　平成１１年５月１４日付け取消理由通知で提示した引用例１（特開昭５４−１５３４８５号公報）には、「レジスト機構を有する装置において、前記レジスト機構に送出された紙のたわみ量を制御するたわみ量制御手段を設け、かつ前記レジスト機構に至る搬送路上の複数個所で紙の有無を紙検知手段により検知してこの紙検知手段からの信号より紙の搬送速度を演算し、この演算の結果により前記たわみ量制御手段を制御して紙のたわみ量を一定に制御することを特徴とするたわみ量制御方式。」（特許請求の範囲）、「本発明は複写機、印刷機等のレジスト機構を有する装置に使用されるたわみ量制御方式に関する。」（第１頁左下欄第１３乃至１４行）、「しかし、このような方式にあっては搬送器における紙の摩擦、搬送速度、給紙ローラーと給紙される紙の位置、つまり給紙位置などの諸条件により紙のたわみ量が変化してレジストレーションが大きく左右される。
　本発明は紙の搬送速度を検出して紙のたわみ量を一定に制御することにより上記諸条件にかかわりなくレジストレーションを常に安定して行わせるたわみ量制御方式を提供することを目的とする。」（第１頁右下欄第１２乃至２０行）、「本実施例ではコンピュータを利用するが、第３図にそのコンピュータのシステム構成を示す。同図において８は中央演算処理装置（ＣＰＵ）、９はプログラムメモリ（ＲＯＭ）、１０はデータメモリ（ＲＡＭ）、１１１、１１２は入出力インターフェースである。中央演算処理装置８はプログラムメモリ９に書かれているプログラムを逐次実行して行き、必要に応じてインターフェース１１１、１１２よりデータを読み込んでデータメモリ１０にストアしたり、又はデータを読み込みながらプログラムを進め、或いはインターフェース１１１、１１２にデータを書き込み負荷を動作させたりする。」（第２頁左上欄第３乃至１４行、第３図）、「第５図は本実施例の機構部を示す。タイミングエンコーダ１２はレジスト信号を送り出すレジストタイミング用ホールＩＣＨＩＣ１、上段カセット１３及び下段カセット１４に対する給紙信号を送り出す給紙タイミングセンス用ホールＩＣＨＩＣ２、ＨＩＣ３を有する。給紙ソレノイドＳＯＬ３は給紙信号により働いて給紙ローラ１５を駆動し上段カセット１３から紙を送り出させる。この上段カセット１３からの紙は搬送ローラ１６によりレジストローラ１７に送られ、又紙検知用フォトセンサーＰＳ３は搬送ローラ１６の後側で紙の有無を検知することによって給紙ソレノイドＳＯＬ３のオフタイミングをとり、給紙ソレノイドＳＯＬ３はフォトセンサーＰＳ３が紙の先端を検知したときにオフとなる。搬送ローラ１６は常に回転しており、紙検知用フォトセンサーＰＳ２がレジストローラ１７の手前で紙の先端を検知してから所定の時間が経過した後に搬送ソレノイドＳＯＬ１が駆動されて搬送ローラ１６が止められ、レジストローラ１７に送られた紙のたわみ量が一定になる。」（第２頁右上欄第７行乃至同頁左下欄第６行、第５図）、「ここで重要な点は紙に一定量のたわみを付ける時間ＲＴであり、これはフォトセンサーＰＳ２が紙の先端を検知してからソレノイドＳＯＬ１がオンするまでの時間である。この実施例では各フォトセンサーとコンピュータの演算機能により次のように一回の紙搬送毎にその搬送速度を計算して時間ＲＴを求めている。まず、フォトセンサーＰＳ３が紙の先端を検知してからフォトセンサーＰＳ２が紙の先端を検知するまでの時間ＶＴを求めて一回毎の搬送速度を求める。この時間ＶＴはフォトセンサーＰＳ３がオンした時からプログラムタイマーを走らせて時間をカウントしフォトセンサーＰＳ２がオンした時にプログラムタイマーのカウントを終わらせることによって求め、次に時間ＲＴはフォトセンサーＰＳ２、ＰＳ３間の距離が８２mmでフォトセンサーＰＳ２、レジストローラ１７間の距離が１０mmであるから紙のたわみ量を一定量αとして
　　８２÷ＶＴ×１０＋α＝ＲＴ
なる演算を行って求める。そしてフォトセンサーＰＳ２により紙の先端を検知してからその時間ＲＴが経過した後にソレノイドＳＯＬ１をオンさせることによって、搬送路における紙の摩擦、搬送速度給紙ローラ及びカセットの位置などの諸条件にかかわりなく紙のたわみ量αを常に一定に制御する。又下段カセット１４から紙を送出する場合にも同様に紙のたわみ量を一定量αに制御する。」（第２頁右下欄第１０行乃至第３頁左上欄第１６行、第６図）、「以上のように本発明によるたわみ量制御方式にあっては紙の搬送速度を検出して紙のたわみ量を一定に制御するので、搬送路における紙の摩擦、搬送速度、給紙ローラと給紙される紙の位置などの諸条件にかかわりなくレジストレーションを常に安定して行わせることができ、特に紙の搬送速度が可変する場合に有効である。」（第４頁左下欄第１２乃至１８行）と記載されている。
　同じく引用例２（特開昭６１−１９７２７５号公報）には、「本発明は孔版式製版印刷装置に関し、さらに詳しくはロール状の孔版原紙を印刷ドラムに巻付ける際のテンション値を所定範囲に制御する孔版式製版印刷装置に関する。」（第１頁右下欄第３乃至６行）、「この表示操作部１５には電源スイッチ１６、・・・、印刷スピードを設定するスイッチ２１、・・・から構成されている。」（第３頁右上欄第１３行乃至同頁左下欄第２行、第３図）と記載されている。
　同じく引用例３（特開昭６０−１２８１３８号公報）には、「第３図は本発明の一実施例における給紙装置の電気回路の主要部分を表したものである。この装置では、図示しない複写用紙の紙質を選定するための１つの選定ボタン２１が同じく図示しない操作パネルに設けられている。選定ボタン２１がオフとなっている場合には、制御回路２２は図示しない用紙カセットに収納されている複写用紙が」特定の用紙であると判断することになる。一方選定ボタン２１がオンとされた場合には、制御回路２２は用紙カセットに収納されている複写用紙が特定の用紙以外の用紙（薄い用紙、腰の弱い用紙あるいは厚い用紙、腰の強い用紙）であると判断することになる。
　従って用紙カセットに特定の用紙が収納されており、これに複写を行う場合には、選定ボタン２１をオフとした状態で図示しない複写スタートボタンを押すことになる。この場合制御回路２２は、図示しない給紙ローラによる送り出しが特定の用紙に見合った最適の条件となるように、駆動回路２３を介してステッピングモータ２４に所定のパルスレートの電圧を印加することになる。」（第２頁右上欄第２０行乃至同頁左下欄第１８行、第３図）と記載されている。
　同じく引用例４（実願昭６０−２０３２９９号（実開昭６２−１１３１４２号）のマイクロフィルム）には、「従来の謄写輪転機等においては、複数の印刷用紙をセットし、この用紙を一枚ごとに取り出して移送する自動給紙装置を装備している。
　この種の自動給紙装置にあっては、例えばトレイ等の用紙収納部に積み重ねてセットした複数の用紙を、当該用紙上面に接した送りローラによって一枚ごと取り出すとともに、前記送りローラの回転及び送りローラの外周に沿ってその近傍に備えられた案内部材によって前記用紙にバックル（所望、用紙が湾曲した状態）を持たせた状態で、前記送りローラ後方の給紙ローラに確実に移送するようにしていた。」（第１頁だ１８行乃至第２頁第９行）、「以上の構成による給紙装置（４）は、装置（４）の送りローラ（９）によって複数の印刷用紙（８）の一枚目の用紙を取り出しつつ、送りローラ（９）の回転及び案内部材（１０）により前記取り出した用紙（８）にバックルを持たせて、装置（４）の給紙ローラ（１１）に移送することができるとともに、前記送りローラ（９）によって取り出されつつバックルを持った二枚目以降の印刷用紙（８）の先端の位置をセンサ（１３）によって検出し、この検出した検出信号に基づいて制御装置（１４）が、上記送りローラ（９）の回転を制御して上記一枚目の用紙に持たせたバックル量と同じ量のバックルを二枚目以降の印刷用紙（８）にも持たせることができる。即ち上記複数の印刷用紙（８）に一定のバックル量を持たせることができる。」（第６頁第１４行乃至第７頁第１行、第１図）」と記載されている。
（ウ）対比・判断
（１）本件請求項１に係る発明（以下「本件発明１」という）に関して；
　本件発明１と、引用例１に記載される発明（以下「引用発明」という。）とを対比すると、引用発明における、「紙」、「給紙ローラ１５」、「レジストローラ１７」、「フォトセンサＰＳ２、ＰＳ３」、「コンピュータ８」が、本件発明１における、「用紙」、「給紙ローラ」、「レジストローラ」、「用紙検出手段」、「制御手段」に相当することは明白である。また、引用発明においても、複数枚の紙を収納するカセットから給紙ローラ１５により一枚ずつ紙を取り出していることも明白であり、引用発明が、複写機或いは印刷機等の給紙装置を開示していることも明白である。してみれば、両者は、用紙供給源に積載された複数枚の用紙を回転駆動される給紙ローラにより一枚ずつ取り出してレジストローラへ搬送し、該用紙を前記レジストローラにより所定の時期に後流側へ用紙を搬送する給紙装置において、前記用紙供給源より前記レジストローラに向けて搬送されてきた前記用紙の通過を検出する用紙検出手段と、前記用紙検出手段での前記用紙検出後のローラの駆動量を制御する制御手段を設けた給紙装置である点で一致し、（１）用紙供給源の構成に関し、本件発明１が、給紙台上に積載されているのに対して、引用発明は、カセットに積載されている点、（２）レジストローラにより後流側に搬送される機構に関し、本件発明１は、画像形成処理部へ搬送するのに対して、引用発明においては、どこへ搬送されるのか不明である点、（３）本件発明１は、画像形成処理部での画像形成スピードに関するデータを入力する入力手段を備えているのに対して、引用発明は、この構成が開示されていない点、（４）用紙検出後にその駆動量を制御されるローラに関し、本件発明１は、このローラが、給紙ローラであるのに対して、引用発明は搬送ローラ１６である点、（５）ローラの駆動量を制御する制御手段の制御に関し本件発明１は、入力手段により入力されたデータに基づくとともに、給紙ローラの停止時に発生する慣性力を考慮しているのに対して、引用発明は、この構成が開示されていない点で相違する。
上記相違点について検討する。相違点（１）については、用紙供給源として、カセット内に給紙台を備えたものも、本件出願前普通に知られている構成であり、また特に本件発明１のように構成したことによる格別の特徴点も認められないから、この点に関し、両者の間に実質的な差異は認められない。相違点（２）については、引用発明も本件発明１と同じく複写機或いは印刷機等に用いられる給紙装置であることから勘案すれば、引用発明におけるレジストローラの後流側に画像形成処理部が配置されることは、当業者にとって自明の事項と認められる。よって、この点にも、両者の間に格別の差異は認められない。相違点（３）については、引用発明においては、紙の搬送速度ＶＴが求められている。この紙の搬送速度は、画像形成処理部での画像形成スピードと相関関係にあることは、当業者であれば当然に予測し得るところであり、このことを考慮すれば、引用発明も自動的に画像形成処理部の画像形成スピードを入力していることになり、この限りにおいて、両者の間に実質的な差異は認められない。したがって、予め画像形成スピードが分かっているのであれば、例えば引用例２の技術に倣って外部から制御手段に入力することは、当業者にとって格別の困難性あるものとは認められない。相違点（４）については、結局の処、本件発明１が、引用発明における搬送ローラ１６による搬送手段を捨象したにすぎず、給紙経路の長さによるものであって、両者の間に実質的差異は認められず、当業者であれば容易に設計変更できる程度のものと認められる。
　しかしながら、相違点（５）については、給紙ローラの駆動量を、画像形成処理部での画像形成スピードに対応して給紙ローラの停止時に発生する慣性力にもとづいて設定されたデータにもとづいて制御する点は、引用発明、引用例２乃至５及び参考資料いずれにも開示はないし示唆もない。すなわち、給紙ローラの停止時に、給紙ローラがその慣性力によりすぐには停止できず所定量回転し、その結果として給紙ローラとレジストローラとの間で形成される弛み湾曲を必要以上に大きくし、用紙の抜けを頻繁に生じさせることを防止するために、画像形成スピードに対応する給紙ローラの慣性力による駆動量を、予めデータとして入力しておき、入力手段から入力された画像処理スピードにもとづいて給紙ローラの駆動量を制御することは、引用発明においては何等考慮しているものではなく、引用例２乃至４及び参考資料に開示される発明においても同様である。
　したがって、引用発明に、引用例２乃至４に記載される発明及び参考資料に記載される周知技術を採用しても、本件発明１の構成とはならないし、引用発明及び引用例２乃至４に記載される発明から、本件発明１のように構成することは、当業者にとって容易に予測し得るものとも認められない。そして、本件発明１は、上記相違点に指摘した構成を備えることにより、明細書記載のとおりの格別の作用効果を奏するものと認められる。
（２）本件請求項２に係る発明に関して；
　本件請求項２に係る発明は、実質的に本件発明１における給紙装置において、入力手段により入力されるデータとして、積載された用紙の種類に関するデータが入力される構成が付加されたものである。
　したがって、上記本件発明１と同様の理由から、本件請求項２に係る発明は、引用例１乃至４に記載される発明に基づいて当業者が容易に発明をすることができたものとは認められない。
（３）本件請求項３に係る発明に関して；
　本件請求項３に係る発明は、本件発明１又は本件請求項２に係る発明において、給紙ローラの駆動量データをセットする設定手段を有する構成が付加されたものである。
　したがって、上記本件発明１又は本件請求項２に係る発明と同様の理由から、本件請求項３に係る発明は、引用例１乃至４に記載される発明に基づいて当業者が容易に発明をすることができたものとは認められない。
（iv）むすび
　以上のとおりであるから、上記訂正請求は、
特許法第１２０条の４第２項、同条第３項でさらに準用する特許法第１２６条第２〜４項の規定に適合するので、当該訂正を認める。
３．特許異議の申立についての判断
（ｉ）本件特許の特許請求の範囲に記載される発明
　本件特許発明は、訂正された特許請求の範囲に記載される上記２．（ｉ）（１）に示すとおりのものである。
（ii）特許異議申立の理由の概要
　異議申立人山口十四治は、本件特許に係る発明のうち、請求項１乃至３に係る発明は、甲第１乃至４号証に記載された発明に基づいて、当業者が容易に発明をすることができたものであるから、特許法第２９条第２項の規定により特許を受けることができないものであるから、特許法第１１３条第１項第２号の規定により、特許を取り消すべきものであると主張している。
（iii） 甲各号証
  甲第１乃至４号証は、上記２．（iii）（イ）引用例の項で示した引用例１乃至４にそれぞれ対応するので省略する。
（iv）対比・判断
　上記２．（iii）（ウ）対比・判断の項で述べたと同様の理由により、本件発明は、甲第１乃至４号証に記載される発明に基づいて、当業者が容易に発明をすることができたものとは認められない。
４．まとめ
　以上のとおりであるから、特許異議申立の理由及び証拠によっては本件発明についての特許を取り消すことはできない。
　また、他に本件発明についての特許を取り消すべき理由を発見しない。
　よって、結論のとおり決定する。
【異議決定日】
平成１２年３月２７日（２０００．３．２７）
【訂正の要旨】
　本件審判請求の訂正の要旨は、次の（ｉ）、（ｉｉ）のとおりである。すなわち、
特許請求の範囲の減縮を目的として、
　（ｉ）特許請求の範囲の
　「【請求項１】給紙台上に積載された複数枚の回転駆動される給紙ローラにより一枚ずつ取出してレジストローラへ搬送し、該用紙を前記レジストローラにより所定の時期に画像形成処理部へ搬送する給紙装置において、
　前記給紙台より前記レジストローラに向けて搬送されてきた前記用紙の通過を検出する用紙検出手段と、
　前記画像形成処理部での画像形成スピードに関するデータを入力する入力手段と、
　前記用紙検出手段での前記用紙検出後の前記給紙ローラの駆動量を前記入力手段により入力された前記データに基づいて制御する制御手段とを設けたことを特徴とする給紙装置。
　【請求項２】給紙台上に積載された複数枚の回転駆動される給紙ローラにより一枚ずつ取出してレジストローラへ搬送し、該用紙を前記レジストローラにより所定の時期に画像形成処理部へ搬送する給紙装置において、
　前記給紙台より前記レジストローラに向けて搬送されてきた前記用紙の通過を検出する用紙検出手段と、
　前記画像形成処理部での画像形成スピードに関するデータ及び積載された前記用紙の種類に関するデータを夫々入力する入力手段と、
　前記用紙検出手段での前記用紙検出後の前記給紙ローラの駆動量を前記入力手段により入力された前記データに基づいて制御する制御手段とを設けたことを特徴とする給紙装置
　【請求項３】前記入力手段により入力された前記データに基づいて前記用紙検出手段での前記用紙検出後の前記給紙ローラの駆動量データをセットする設定手段を設け、前記用紙検出手段による前記用紙の検出後に前記設定手段により設定された前記給紙ローラの前記駆動量データに基づいて前記給紙ローラの駆動量を制御することを特徴とする請求項１又は２に記載の給紙装置。」を、
「【請求項１】給紙台上に積載された複数枚の回転駆動される給紙ローラにより一枚ずつ取出してレジストローラへ搬送し、該用紙を前記レジストローラにより所定の時期に画像形成処理部へ搬送する給紙装置において、
　前記給紙台より前記レジストローラに向けて搬送されてきた前記用紙の通過を検出する用紙検出手段と、
　前記画像形成処理部での画像形成スピードに関するデータを入力する入力手段と、
　前記用紙検出手段での前記用紙検出後の前記給紙ローラの駆動量を前記入力手段により入力された前記データに基づいて制御する制御手段とを設け、前記給紙ローラの駆動量は、前記画像形成処理部での画像形成スピードに対応して前記給紙ローラの停止時に発生する慣性力にもとづいて設定されたデータにもとづいて制御するようにしたことを特徴とする給紙装置。
　【請求項２】給紙台上に積載された複数枚の回転駆動される給紙ローラにより一枚ずつ取出してレジストローラへ搬送し、該用紙を前記レジストローラにより所定の時期に画像形成処理部へ搬送する給紙装置において、
　前記給紙台より前記レジストローラに向けて搬送されてきた前記用紙の通過を検出する用紙検出手段と、
　前記画像形成処理部での画像形成スピードに関するデータ及び積載された前記用紙の種類に関するデータを夫々入力する入力手段と、
　前記用紙検出手段での前記用紙検出後の前記給紙ローラの駆動量を前記入力手段により入力された前記データに基づいて制御する制御手段とを設け、前記給紙ローラの駆動量は、前記画像形成処理部での画像形成スピードに対応して前記給紙ローラの停止時に発生する慣性力にもとづいて設定されたデータにもとづいて制御するようにしたことを特徴とする給紙装置
　【請求項３】前記入力手段により入力された前記データに基づいて前記用紙検出手段での前記用紙検出後の前記給紙ローラの駆動量データをセットする設定手段を設け、前記用紙検出手段による前記用紙の検出後に前記設定手段により設定された前記給紙ローラの前記駆動量データに基づいて前記給紙ローラの駆動量を制御することを特徴とする請求項１又は２に記載の給紙装置。」と訂正する。
　又、上記特許請求の範囲の減縮を目的とする訂正に伴う明りょうでない記載の釈明を目的として、
　（ｉｉ）願書に添付された明細書（以下単に「特許明細書」という。）の第３頁第２８行〜第４頁第８行（特許公報（以下単に「公報」という。）第２頁第４欄第２６行〜第３９行）の
　「【課題を解決するための手段】本発明の給紙装置は、図の実施の形態にも示すように、給紙台１上に積載された複数枚の用紙Ｐを回転駆動される給紙　ローラ３により一枚ずつ取出してレジストローラ１６により所定の時期に画像形成処理部へ搬送する給紙装置において、前記給紙台１より前記レジストローラ１６に向けて搬送されてきた前記用紙の通過を検出する用紙検出手段（ペーパーセンサ１７）と、前記画像形成処理部での前記用紙検出後の前記給紙ローラ３の駆動量を前記入力手段１８により入力された前記データに基づいて制御する制御手段３１とを設けたことを特徴としている。」を、
　「【課題を解決するための手段】本発明の給紙装置は、図の実施の形態にも示すように、給紙台１上に積載された複数枚の用紙Ｐを回転駆動される給紙ローラ３により一枚ずつ取出してレジストローラ１６により所定の時期に画像形成処理部へ搬送する給紙装置において、前記給紙台１より前記レジストローラ１６に向けて搬送されてきた前記用紙の通過を検出する用紙検出手段（ペーパーセンサ１７）と、前記画像形成処理部での前記用紙検出後の前記給紙ローラ３の駆動量を前記入力手段１８により入力された前記データに基づいて制御する制御手段３１とを設け、前記給紙ローラの駆動量は、前記画像形成処理部での画像形成スピードに対応して前記給紙ローラの停止時に発生する慣性力にもとづいて設定されたデータにもとづいて制御するようにしたことを特徴としている。」と訂正する。
（５４）【発明の名称】
給紙装置
（５７）【特許請求の範囲】
　　【請求項１】　給紙台上に積載された複数枚の用紙を回転駆動される給紙ローラにより一枚ずつ取出してレジストローラへ搬送し、該用紙を前記レジストローラにより所定の時期に画像形成処理部へ搬送する給紙装置において、
　前記給紙台より前記レジストローラに向けて搬送されてきた前記用紙の通過を検出する用紙検出手段と、
　前記画像形成処理部での画像形成スピードに関するデータを入力する入力手段と、
　前記用紙検出手段での前記用紙検出後の前記給紙ローラの駆動量を前記入力手段により入力された前記データにもとづいて制御する制御手段とを設け
、前記給紙ローラの駆動量は、前記画像形成処理部での画像形成スピードに対応して前記給紙ローラの停止時に発生する慣性力にもとづいて設定されたデータにもとづいて制御するようにし
　　【請求項２】　給紙台上に積載された複数枚の用紙を回転駆動される給紙ローラにより一枚ずつ取出してレジストローラへ搬送し、該用紙を前記レジストローラにより所定の時期に画像形成処理部へ搬送する給紙装置において、
　前記給紙台より前記レジストローラに向けて搬送されてきた前記用紙の通過を検出する用紙検出手段と、
　前記画像形成処理部での画像形成スピードに関するデータ及び積載された前記用紙の種類に関するデータを夫々入力する入力手段と、
　前記用紙検出手段での前記用紙検出後の前記給紙ローラの駆動量を前記入力手段により入力された前記データにもとづいて制御する制御手段とを設け、
前記給紙ローラの駆動量は、前記画像形成処理部での画像形成スピードに対応して前記給紙ローラの停止時に発生する慣性力にもとづいて設定されたチータ及び積載された前記用紙の種類に関するデータにもとづいて制御するようにし
　　【請求項３】　前記入力手段により入力された前記データにもとづいて前記用紙検出手段での前記用紙検出後の前記給紙ローラの駆動量データをセットする設定手段を設け、前記用紙検出手段による前記用紙の検出後に前記設定手段により設定された前記給紙ローラの前記駆動量データにもとづいて前記給紙ローラの駆動量を制御することを特徴とする請求項１又は２に記載の給紙装置。
【発明の詳細な説明】
　　　【０００１】
　　【発明の属する技術分野】
　本発明は、複写機或いは、印刷機等の画像処理装置に組込まれる給紙装置に関する。
　　　【０００２】
　　【従来の技術】
　複写機或いは、印刷機等の画像処理装置に組込まれる給紙装置は、一般に、給紙台上に載置された複数枚の用紙を回転駆動する給紙ローラにより一枚ずつ取り出してレジストローラへ搬送し、該用紙を前記レジストローラによって版胴或いは複写用感光体ドラム等の画像形成処理部へ搬送するように構成されている。この種の給紙装置は、例えば特公昭５８−７５８２号公報に開示されている。
　このような給紙装置は、レジストローラにより所定の時期に用紙が画像形成処理部へ供給されるよう、また搬送過程における用紙の斜め送りによる用紙の傾きを解消するために、レジストローラの回転開始以前に用紙の先端がレジストローラに到着してもなお少しの間は給紙ローラの駆動が行われるようになっている。
　従って、このような給紙装置では、給紙ローラにより給紙台からレジストローラへ搬送された用紙は、レジストローラによって画像形成処理部へ搬送されるまでの間、給紙ローラとレジストローラとの間にてその搬送方向に弛み湾曲を生じる。適度の弛み湾曲は搬送過程における斜め送りにより生じた用紙の傾きを解消するために有用である。
　　　【０００３】
　上述のような従来の給紙装置では、一般に給紙ローラは電磁クラッチを介して駆動源に連動連結されており、一枚の用紙の取出し毎に電磁クラッチが接続されて、予め定められた一定角度だけ給紙ローラが回転駆動されるようになっている。第６図に示すように、上記給紙ローラの回転駆動量を決定する回転角は、前記電磁クラッチヘの通電・非通電を制御する給紙クラッチセンサ６２と、給紙ローラに連動する円板６０のスリット６！によって決定されている。そして、給紙ローラの回転角を定めるこのスリット６１の巾は、給紙すべき用紙の種類が更紙、普通紙、厚紙のすべてにおいて、また、画像形成処理部での印刷スピードに係わらず、該用紙がレジストローラに到達した後も更に給紙ローラの回転駆動が継続されて十分な弛み湾曲を作ることができるような一定の巾に設定されていた。又は、使用する用紙の種類に応じて、止めねじ及びスリット板よりなる調整手段６３を調整してスリット６１の巾をその都度変え、上記の回転角を調整するようにしていた。
　　　【０００４】
　　【発明が解決しようとする課題】
　前者のようなスリット巾の設定では使用する用紙や印刷スピードに合わせてスリット巾を変える必要はないが、それぞれの用紙の給紙や印刷スピードに合致したスリット巾をとりうることができないので頻繁に給紙・搬送不良を引き起こす。また、後者のような設定では給紙搬送は常に良好に行われるが、印刷スピードや用紙を変えるごとに円板６０のスリット巾６１を変える煩わしい作業が必要となり、又その作業自体熟練を要するものである。
　　　【０００５】
　さらに、設定される印刷スピートが高速であると、それに同期して回転駆動される給紙ローラも高速駆動されるので、給紙クラッチヘの通電が停止されても上記給紙ローラは慣性力によりすぐには停止できず、所定量回転することになる。従って、その結果として、設定した駆動量よりも多い駆動量が上記給紙ローラに与えられることになる。この慣性力による給紙ローラの余分な駆動量は、印刷スピードが高速になるにつれて大きくなり、給紙ローラとレジストローラとの間で形成される弛み湾曲を必要以上に大きくして用紙の抜けを頻繁に生じさせる原因となるという課題がある。
　　　【０００６】
　本発明は、上記の点に鑑みなされたもので、レジストローラ下流の画像形成処理部での印刷スピードに係わらず、若しくは用紙の種類に係わらず、手間を要することなく確実な給紙搬送が可能な給紙装置を提供することを目的とする。
　　　【０００７】
　　【課題を解決するための手段】
　本発明の給紙装置は、図の実施の形態、にも示すように、給紙台１上に積載された複数枚の用紙Ｐを回転駆動される給紙ローラ３により一枚ずつ取出してレジストローラ１６へ搬送し、該用紙Ｐを前記レジストローラー１６により所定の時期に画像形成処理部へ搬送する給紙装置において、前記給紙台１より前記レジストローラ１６に向けて搬送されてきた前記用紙の通過を検出する用紙検出手段（ペーパーセンサ１７）と、前記画像形成処理部での画像形成スピードに関するデータを入力する入力手段１８と、前記用紙検出手段での前記用紙検出後の前記給紙ローラ３の駆動量を前記入力手段１８により入力された前記データにもとづいて制御する制御手段３１とを設け
、前記給紙ローラの駆動量は、前記画像形成処理部での画像形成スピードに対応して前記給紙ローラの停止時に発生する慣性力にもとづいて設定されたデータにもとづいて制御するようにし
　　　【０００８】
　前記入力手段１８は、前記画像形成処理部での画像形成スピードに関するデータと積載された前記用紙の種類に関するデータを夫々入力する構成としても良い。
　　　【０００９】
　さらに、前記入力手段１８により入力された前記データにもとづいて、前記用紙検出手段での前記用紙検出後の前記給紙ローラ３の駆動量データをセットする設定手段（カウントデータセット部１９）を設け、前記用紙検出手段による前記用紙の検出後に前記設定手段により設定された前記給紙ローラ３の前記駆動量データにもとづいて前記給紙ローラ３の駆動量を制御する構成としてもよい。
　　　【００１０】
　まず、入力手段１８によって画像形成スピードに関するデータ、又は該データと用紙の種類に関するデータが入力される。そして、このデータをもとに給紙ローラ３の駆動量データが設定手段によってセットされる。
　給紙ローラ３によって給紙台１から搬送された用紙が検出手段によってレジストローラ１６に向けて通過したことが検知されると、前記設定手段によって設定された駆動量データに基づいて、用紙を搬送する給紙ローラ３を制御手段が制御する。即ち、検出手段によって検知された後の用紙の駆動量が、予め設定した画像形成スピード、又は、該画像形成スピードと用紙の種類に応じて適宜に制御される。
　　　【００１１】
　　【発明の実施の形態】
　以下に添付の図を参照して本発明の実施の形態について詳細に説明する。
　第１図乃至第３図は、本発明の給紙装置の一実施の形態を示している。
　給紙台１には、その上部に複数枚の用紙Ｐが積層載置され、図示されていない駆動装置によってこの給紙台１は、第１図にて上下方向へ駆動されるようになっている。給紙台１における用紙送り出し方向に見て最前部、即ち第１図における給紙台１の右側には、前部障壁板２が立設されており、該前部障壁板２は給紙台１上に載置された用紙Ｐの前端縁の位置決めを行うようになっている。
　前部障壁板２の上方にはゴム或いは、ゴム類似品により形成された給紙ローラ３が設けられている。この給紙ローラ３は支持軸４によって側板５，５間に回転自在に支持されている。支持軸４は、その一端部が電磁クラッチ６の従動側と接続されており、又電磁クラッチ６の駆動側とは伝動ベルト７と駆動連結され、電磁クラッチ６に通電された状態、つまりクラッチの従動側と駆動側が係合状態にある時のみ第１図に見て反時計廻り方向Ａへ回転駆動されるようになっている。
　　　【００１２】
　この回転駆動のタイミングは、第３図に示すような給紙クラッチセンサ５０によって制御されている。この給紙クラッチセンサ５０は、一部にスリット５１ａを有する円板５１が、後述する給紙信号の出力により回転駆動され、センサ５２にてスリット５１ａを検出すると電磁クラッチ６に通電が開始される。これにより給紙ローラ３は電磁クラッチ６が係合状態にあるときに第１図で見て反時計廻り方向Ａへ回転駆動される。
　　　【００１３】
　一方、前部障壁板２の上端部には、給紙ローラ３に対向して紙捌きパッドホルダ８が設けられている。紙捌きパッドホルダ８は、ブラケット９によって給紙ローラ３の径方向に対し移動自在に支持され、圧縮コイルバネ１０のバネ力により給紙ローラ３の外周面へ向けて付勢されている。紙捌きパッドホルダ８の上面、即ち給紙ローラ３の外周面に対向する面部には紙捌きパッド１１が取付けられており、該紙捌きパッド１！は、ゴム或いはゴム類似品、又はコルク等の比較的摩擦係数が大きい材料により形成され、給紙ローラ３の外周面に対向している。
　　　【００１４】
　次に、給紙ローラ３より用紙送り出し方向（矢線Ｃ）に見て前方、即ち版胴２５とこれに対応するプレスローラ２６とで構成された画像形成処理部側には下部案内板２ａと上部案内板１２とにより給紙通路１３が設けられている。この給紙通路１３は、給紙ローラ３より前記画像形成処理部へ向けて延設されており、その終端近傍部には上下一対のローラ１４と１５とから構成されるレジストローラ１６が設けられている。ローラ１４と１５との各々の外周面は互いに接触し、ローラ１４は図示されていない駆動装置により第１図にて時計廻り方向Ｂへ間欠的に回転駆動されるようになっている。
　　　【００１５】
　上部案内板１２は、給紙ローラ３とレジストローラ１６との間に於て用紙Ｐに対して第１図に図示されているごとくその搬送方向Ｃに弛み湾曲が生じることを許容すべく上方へ弓なりに湾曲しており、給紙通路１３はレジストローラ１６の手前に於て第１図にて上下方向に広がっている。又、前記レジストローラ１６を構成するローラ１４と１５との接触部直前には、給紙台１から給紙搬送されてきた用紙Ｐがレジストローラ１６に向けて通過したことを検出することによりレジストローラ１６に到達したことを検出するための検出手段としてのペーパーセンサ１７が設けられている。
　　　【００１６】
　また、第４図に示すように、給紙装置の外部には、前記画像形成処理部での画像形成スピードに関するデータを入力する入力手段１８が配設されている。この入力手段１８により、上記画像形成スピードに関するデータとともに、前述した給紙台１に積載された用紙Ｐの種類を入力させるようにしても良い。この入力手段１８は、印刷装置、複写機等の画像形成処理装置に設けられている操作パネルに設けられた画像形成スピードを入力するキー群、及び使用する用紙の種類を入力するキー群に設けても良い。また、使用する給紙カセットのそれぞれに予め用紙の種類を示すデータとなる指標を設けておき、装置に装着した際に自動的にそれらのデータを入力できるようにすることもできる。
　　　【００１７】
　次に上述の如く構成された給紙装置を制御する制御装置について説明する。
　この制御装置３０は、第４図に示すように、設定手段としてのカウントデータセット部１９と、給紙ローラエンコーダ２０と、制御手段３１とによって構成されている。
　カウントデータセット部１９は、前記入力手段１８から入力された画像形成スピードに関するデータ、又は、この画像形成スピードに関するデータと用紙の種類に関するデータに基づいてカウント部２１ヘカウントデータをセットするようになっている。
　給紙ローラエンコーダ２０は等間隔に複数のスリットが設けられた回転体とその回転体のスリットを検出するフォトセンサとにより構成され、上記回転体の回転に伴いフォトセンサにてスリットを検出してパルス信号Ｓｐを出力するようになっている。
　また、制御手段３１は、カウント部２１と給紙制御回路２２とに大別される。
　カウント部２１はペーパーセンサ１７の信号Ｓｃがオンとなったときに給紙ローラエンコーダ２０から出力されるパルス信号Ｓｐをカウントし、カウントデータセット部１９によってセットされたカウント数に達したらカウント終了信号Ｓｆを出力するようになっている。
　給紙制御回路２２は給紙本体側から出力される給紙信号Ｓａのオン信号の入力を条件として、給紙クラッチセンサ５０の信号Ｓｂのオン信号により電磁クラッチ６へ通電を開始し、またカウント部２１から出力されるカウント終了信号Ｓｆを受けて電磁クラッチ６への通電を停止させるようになっている。
　　　【００１８】
　次に上述のように構成ざれた給紙装置の動作を第１図乃至第５図を参照して説明する。
　まず、画像形成スピートに関するデータ（例えば高速）、又は、この画像形成スピードに関するデータと使用すべき用紙の種類（例えば更紙）を入力手段１８、つまり本発明の給紙装置が備えられた印刷機、複写機等の操作パネルに設けられたキーの押下、又は予め用紙の種類を示すデータとなる指標が付された給紙カセットの本体装置への装着により入力する。
　入力手段１８から上記のデータが入力されると、カウントデータセット部１９は、そのデータに応じたカウントデータ、つまり用紙がペーパーセンサ１７へ到達した後における給紙ローラ３の駆動量データを選択し、カウント部２１にセットする。その後、画像形成処理装置本体の操作パネルにより印刷開始のキーが押下され、印刷指令が出力されると装置を駆動するメインモータ（図示せず）の駆動と同期して給紙ローラエンコーダ２０及び給紙クラッチセンサ５０の円板５１及び伝動ベルト７を介して電動クラッチ６の駆動側が回転駆動される。同時に給紙制御回路２２に、装置本体から給紙信号Ｓａ（第５図（１）参照、）が供給される。そして給紙クラッチセンサ５０のセンサ５２が回転する円板５１のスリット部５１ａを検出すると、この給紙クラッチセンサ５０から出力される信号Ｓｂは、第５図（２）に示すようにオン状態となる。給紙制御回路２２は、給紙クラッチセンサ５０から出力される信号Ｓｂがオン状態になると第５図（４）に示すように電磁クラッチ６に通電を開始する。電磁クラッチ６への通電が開始されると、電磁クラッチ６の駆動側の駆動力が従動側に伝達され、給紙ローラ３が第１図中矢線Ａ方向に回転駆動される。この給紙ローラ３の回転にともなって給紙台１上の最上位置の用紙Ｐがピックアップされ、レジストローラ１６へ向けて（矢線Ｃ方向）下部案内板２ａ上に沿って給紙・搬送される。
　　　【００１９】
　尚、このときに給紙ローラ３と紙捌きパッド１１との間に複数枚の用紙が重なって進入したときには、その用紙同士の摩擦抵抗と、用紙と紙捌きパッド１１との摩擦抵抗の相違によって給紙ローラ３の側、即ち最も上側の一枚のみが引続きレジストローラ１６へ向けて送られる。
　　　【００２０】
　給紙された用紙の先端がレジストローラ１６のローラ１４と１５の接触部乃至近傍に達するとペーパーセンサ１７によってその旨が検出され、信号Ｓｃがカウント部２１に出力される。（第５図（３）を参照）
　この時にはまだローラ１４が回転駆動されておらず停止していることによって用紙Ｐの先端はこれ以上進むことを阻止されている。
　カウント部２１がペーパーセンサ１７の信号Ｓｃを受けると、給紙ローラエンコーダ２０から出力されるパルス信号Ｓｐを取り入れ、カウントを開始する。カウント部２１でのカウント数がカウントデータセット部１９によりセットされたカウントデータ（駆動量データ）に達すると、このカウント部２１から給紙制御回路２２にカウント終了信号Ｓｆが出力される。この出力信号Ｓｆを受けた給紙制御回路２２は、電磁クラッチ６を接続させていた信号Ｓｄを停止させる。
　つまり、給紙ローラ３は、用紙がレジストローラ１６に達した後も引続き第１図に見て反時計廻り方向Ａへ回転駆動され、これによって用紙Ｐはレジストローラ１６と給紙ローラ３との間に於て上部案内板１２の湾曲部１２ａに案内されつつ上方へ盛り上がった弛み湾曲を生じるようになる。すなわち、給紙ローラ３の駆動量は、選択された画像形成スピード、又はこの画像形成スピードと用紙の種類に応じてセットされたデータに基づいて制御されるので、その用紙の給紙・搬送するに適した状態を常にとることができる。
　なお、カウント部２１内のカウント数のクリアー（リセット）は給紙クラッチセンサ５０のオン信号により行われる。すなわち、給紙制御回路２２ヘオン信号を供給すると同時にカウント部２１へも同時にオン信号を供給し、このオン信号に基づいてカウント数のリセットを行うように　なっている。
　　　【００２１】
　上記実施例では、高速処理の例について述べたが、中速や低速処理の場合には、入力手段１８によって選択し、入力すればよい。また、上記実施例では、更紙を給紙する例について述べたが、普通紙や厚紙等を給紙する場合は、入力手段１８によって給紙する用紙の種類を選択し、入力すればよい。その後、前述したように、入力手段１８から画像形成スピード、又は画像形成スピードと用紙の種類を示すデータが入力され、カウントデータセット部１９が、そのデータに応じたカウントデータ、つまり用紙がレジストローラ１６を通過した後の給紙ローラ３の駆動量データを選択し、カウント部２１にセットする。ここで、カウントデータセット部１９にセットされるペーパーセンサ１７を用紙が通過した後の給紙ローラ３の駆動量は、高速処理（更紙給紙）の場合の駆動量Ｔａ、中速処理（普通紙給紙）の場合の駆動量をＴｂ、低速処理（厚紙給紙）の場合の駆動量をＴｃとすると、それらの関係がＴａ＜Ｔｂ＜Ｔｃとなるように設定してある。又、第３図に示すクラッチセンサ５０の円板５１のスリット巾に対応する給紙ローラ３の駆動量と上記各用紙の駆動量Ｔａ，Ｔｂ，Ｔｃとの関係は、Ｔａ＜Ｔｂ＜Ｔｃ＜Ｔとなる如く設定されている。給紙制御回路２２より出力されて電磁クラッチ６をオンとする信号Ｓｄを、高速（更紙）の場合をＳｄ−１、中速（普通紙）の場合をＳｄ−２、中速（厚紙）の場合をＳｄ−３として各用紙の駆動量Ｔａ，Ｔｂ，Ｔｃと共にタイミングチャート上に表わすと、第５図（４），（５），（６）のようになる。
　　　【００２２】
　上記実施の形態のように、任意、に設定される印刷スピードに応じて設定されるカウントデータを変えることにより、確実な給紙・搬送が行えるようにすることができる。つまり、設定される印刷スピードが高速であると、それに同期して回転駆動される給紙ローラ３も高速駆動されるので、給紙クラッチ６への通電が停止されても上記給紙ローラ３は慣性力によりすぐには停止できず、所定量回転することになる。従って、その結果として、設定した駆動量よりも多い駆動量が上記給紙ローラ３に与えられることになる。この慣性力による給紙ローラ３の余分な駆動量は、印刷スピードが高速になるにつれて大きくなり、給紙ローラ３とレジストローラ１６との間で形成される弛み湾曲を必要以上に大きくして用紙の抜けを頻繁に生じさせる原因となる。この点に注目して、印刷スピードによって停止時に発生する慣性力で給紙ローラ３が回転駆動される量を予め測定しておき、その駆動量を対応するカウントデータに置き換え、その値を基準となる印刷スピード時のカウントデータより差し引いた値からなるカウントチータを設定するようにすればよい。つまり、設定された印刷スピード、又は印刷スピード及び用紙の種類に応じたカウントデータを設定することにより、更に確実な給紙・搬送が可能となる。
　　　【００２３】
　　【発明の効果】
　以上説明したように、本発明による給紙装置は、操作パネル等の入力手段により、画像形成スピードに関するデータを入力すると、用紙が用紙検出手段を通過した後の給紙ローラ駆動量がそのデータに応じて設定され、その時間（駆動量）に応じた給紙ローラの回転駆動が行われるので、印刷スピードを例えば高速、中速、または低速に切り換えた時にも、確実な給紙搬送が行え、良好な印刷をおこなうことができる。又、上記構成においては、給紙される用紙の先端が用紙検出手段を通過したことを検出して、その後の給紙ローラの駆動を制御手段で行っているので、レジストローラ駆動後の印刷処理によって得られる画像の用紙に対する印刷位置は常に一定のものとなる。即ち本発明の給紙装置によれば、用紙に対する印刷画像の天地乱調を防止することができる。
　　　【００２４】
　また、上記の入力手段により、印刷スピードに関するデータとともに用紙の種類に関するデータを入力させて、用紙が用紙検出手段を通過した後の給紙ローラ駆動量を自動調整させることにより、一層確実な給紙搬送が行え、良好な印刷をおこなうことができる。
【図面の簡単な説明】
　　【図１】
　本発明による給紙装置の一実施例を示す側断面図である。
　　【図２】
　同実施例による給紙装置の平面図である。
　　【図３】
　給紙クラッチセンサの側面図である。
　　【図４】
　制御装置のブロック図である。
　　【図５】
　タイミングチャート図である。
　　【図６】
　従来技術における給紙クラッチセンサの側面図である。
　　【符号の説明】
　１…給紙台、３…給紙ローラ、１６…レジストローラ、１７…検出手段（ペーパーセンサ）、１８…入力手段、１９…設定手段（カウントデータセット部）、３１…制御手段、Ｐ…用紙